(57)【要約】      （修正有）【課題】ペットフード組成物を作るためのプロセスとして、肉部分をその変性点より上で加熱する工程、ならびに炭水化物源および水を予備水和および予備糊化して炭水化物部分を形成する工程を提供する。【解決手段】肉組成物ならびに予備水和および予備糊化された炭水化物部分をクッカー中で組み合わせ、缶の中に充填してペットフード組成物を作る。【選択図】図１
2014131509.tif 000002
【特許請求の範囲】
【請求項１】
肉部分および１種類以上の炭水化物源に基づくペットフード組成物を調製するためのプロ
セスであって、以下：
（ａ）肉部分を変性点より上の温度まで加熱して肉組成物を形成する；
（ｂ）１種類以上の炭水化物源および水を組み合わせて炭水化物組成物を形成する；
（ｃ）その炭水化物組成物を糊化の温度まで加熱する；そして
（ｄ）その肉組成物および炭水化物組成物を組み合わせる；
を含む、
前記プロセス。
【請求項２】
さらに工程（ｄ）においてその組み合わせられた肉組成物および炭水化物組成物をさらな
る時間加熱することを含む、請求項１に記載のプロセス。
【請求項３】
その肉部分がウシからの肉および肉の副産物を含み、その肉部分が８０℃より上で加熱さ
れる、請求項１に記載のプロセス。
【請求項４】
工程（ｄ）が、肉組成物、炭水化物組成物、および液体組成物を組み合わせることを含み
、その液体組成物が着色剤、香味増進剤、脂肪、および油の内の少なくとも１種類を含む
、請求項１に記載のプロセス。
【請求項５】
工程（ａ）が、その肉部分の変性温度より２℃〜６℃上の温度まで加熱することを含む、
請求項１に記載のプロセス。
【請求項６】
工程（ｂ）および（ｃ）がサーマルスクリュークッカー中で実行される、請求項１に記載
のプロセス。
【請求項７】
そのサーマルスクリュークッカー中での滞留時間が６０〜９０秒間であり、出口における
温度が約８０℃である、請求項６に記載のプロセス。
【請求項８】
そのペットフード組成物が１０〜３５重量％の１種類以上の炭水化物源を含む、請求項１
に記載のプロセス。
【請求項９】
そのペットフード組成物が１３〜２８重量％の１種類以上の炭水化物源を含む、請求項８
に記載のプロセス。
【請求項１０】
そのプロセスがペットフード組成物をローフ製品へと形成する、請求項１に記載のプロセ
ス。
【請求項１１】
そのローフ製品がイヌに適している、請求項１０に記載のプロセス。
【請求項１２】
ペットフード組成物を調製するためのプロセスであって、以下：
（ａ）肉部分をその肉部分の変性点より高い温度まで加熱する；
（ｂ）１種類以上の炭水化物源および水を組み合わせ、その１種類以上の炭水化物源お
よび水を予備水和および予備糊化するのに十分な温度まで、および時間の間、その１種類
以上の炭水化物源および水を加熱する；
（ｃ）工程（ａ）および（ｂ）の生成物を組み合わせる；そして
（ｄ）工程（ｃ）の組み合わせられた生成物を加熱する；
を含み、ここで、その肉部分がそのペットフード組成物の１５〜３０重量％であり、その
１種類以上の炭水化物源がそのペットフード組成物の１３〜２８重量％である、
前記プロセス。
【請求項１３】
その肉部分が、その肉部分の変性点より２℃〜６℃高い温度まで加熱される、請求項１２
に記載のプロセス。
【請求項１４】
その肉部分が肉および肉の副産物を含む、請求項１２に記載のプロセス。
【請求項１５】
その１種類以上の炭水化物源が穀物、挽いた穀物、部分的に挽いた穀物、小麦粉、および
デンプンの１種類以上を含む、請求項１２に記載のプロセス。
【請求項１６】
その１種類以上の炭水化物源がトウモロコシ、小麦、ジャガイモ、米、燕麦、大麦、ミロ
、亜麻、ｆｉｂｒｉｍ、落花生殻、およびテンサイの１種類以上に由来する、請求項１２
に記載のプロセス。
【請求項１７】
その１種類以上の炭水化物源がデンプンまたは小麦粉を含む、請求項１２に記載のプロセ
ス。
【請求項１８】
そのペットフード組成物がローフ製品を構成する、請求項１２に記載のプロセス。
【請求項１９】
そのローフ製品がイヌに適している、請求項１８に記載のプロセス。
【発明の詳細な説明】
【技術分野】
【０００１】
本発明は、肉部分および１種類以上の炭水化物源に基づくペットフード組成物を調製す
るためのプロセスに関する。
【背景技術】
【０００２】
[0001]  ペットは長年“乾燥”および“湿潤”飼料を与えられてきた。“湿潤”飼料は
一般に缶のような容器の中に包装される。それらはその中の水分のため外観上“湿潤”し
ている。一般に、現在では２つのタイプの“湿潤”飼料が調製されている。一方は通常、
業界でグラウンドローフ（ｇｒｏｕｎｄ  ｌｏａｆ）と呼ばれている。これは一般に、一
連の装置、単一の装置、または１種類の装置、例えばサーマルスクリュークッカー／ミキ
サー（ｔｈｅｒｍａｌ  ｓｃｒｅｗ  ｃｏｏｋｅｒ／ｍｉｘｅｒ）中で、全ての重要な構
成要素、例えば肉および炭水化物源を水と一緒に接触させ、次いで一緒に加熱および混合
することにより調製される。このように、主要な構成要素の全てならびに微量構成要素、
例えば着色剤、油、ビタミン類、およびビタミン様物質を早期の予備加工工程で組み合わ
せ、全てを一緒に加工する。
【０００３】
[0002]  この手順に続いて、本質的に均質なセル内ハニカムタイプ（ｉｎｔｒａｃｅｌ
ｌｕｌａｒ  ｈｏｎｅｙｃｏｍｂ−ｔｙｐｅ）の塊を製造し、それを円柱状の容器の中に
すぐに包装し、“グラウンドローフ”製品を形成する。第二の湿潤飼料は一般に、業界で
“チャンク（ｃｈｕｎｋ）および肉汁”と呼ばれている。この湿潤飼料は通常、肉を挽き
、混合し、乳化し、次いでその肉をさらに水、油、および炭水化物源ならびに必要に応じ
て他の材料と混合することにより製造される。次いでこの混合物を調理装置の中に供給し
、そこから出し、切断し、冷却し、次いで様々な段階の充填に送る。通常、２段階の充填
で肉汁をチャンクに添加する。肉汁は、通常の方法、例えば、炭水化物源の１種類以上、
例えば穀物、デンプン、水、（必要に応じて）ビタミン類、および他の材料を混合タンク
の中に入れて混合し、その中でそれを加熱することにより調製され、次いでそれをチャン
ク状材料を保持している容器に供給する。グラウンドローフとは対照的に、この飼料は、
調製されたままの物理的に分離している不連続な挽き肉と穀物のチャンク断片を有する。
これらの不連続な粒子が最終容器中で肉汁タイプの液体の中に存在する。“チャンクおよ
び肉汁”法により製造された製品は長年ペットフードにおいて用いられてきた。
【０００４】
[0003]  グラウンドローフ製品は一般に、様々な構成要素、例えば肉、１種類以上の炭
水化物源、ビタミン類、ミネラルおよび水を、通常は蒸気および添加された水により混合
することにより調製される。固体構成要素は予め一緒に挽いておく。次いで、肉、炭水化
物源、水および他の構成要素の混合物全体を、具体的な構成要素に応じて１５℃の低温に
、または８０〜９５℃のより高い範囲に加熱する。その生成物を缶に充填し、継ぎ合わせ
、滅菌のためレトルト処理する（ｒｅｔｏｒｔｅｄ）。完成品は一般に、約６５％〜約８
５％の水分範囲を有する。これらのグラウンドローフ製品は、バッチごとを基準として（
ｂａｔｃｈ  ｔｏ  ｂａｔｃｈ  ｂａｓｉｓ）、または３種類の主要な構成要素である肉
、１種類以上の炭水化物源および水をサーマルスクリュークッカー／ミキサー中に連続的
に添加して一緒に混合する連続的なプロセスで作ることができる。このプロセスの間、お
よび特にこの段階において、全てのものを個々の成分、構成要素および配合物の物理的ま
たは化学的特性にかかわらず単一の成分として処理する。そのような物理的および化学的
特性の例は、沸点の違い、１種類以上の炭水化物源の糊化温度、様々な肉のタンパク質変
性温度、および同様のものである。そのような加工の結果として、最終的な組成物の軟ら
かさおよび堅さ、粘着性および粥状性（ｍｕｓｈｉｎｅｓｓ）、ならびに他の容易に評価
されるパラメーターの点で広い範囲の質感の違いがあり、それはバッチ間および組成物間
で生じる。
【０００５】
[0004]  米国特許第６，４４０，４８５号で記述されたプロセスにおいて、肉構成要素
はその混合物のタンパク質変性温度において、および／またはその温度未満で“熱硬化（
ｔｈｅｒｍａｌｌｙ  ｓｅｔ）”し、本質的にそれらだけで、すなわち、１種類以上の炭
水化物源、追加の水、ビタミン類、ミネラル、および同様のものを本質的に、または完全
に存在させずに加熱される。
【０００６】
[0005]  ペットフード組成物を提供するための新規のプロセス、特にローフ製品を形成
することができるプロセスに関する継続的な需要が存在する。
【先行技術文献】
【特許文献】
【０００７】
【特許文献１】米国特許第６，４４０，４８５号
【発明の概要】
【０００８】
[0006]  本発明の製品を作るためのプロセスには、肉部分の予備凝固（ｐｒｅ−ｃｏａ
ｇｕｌａｔｉｏｎ）ならびに炭水化物源の予備水和（ｐｒｅ−ｈｙｄｒａｔｉｏｎ）およ
び予備糊化（ｐｒｅ−ｇｅｌａｔｉｎｉｚａｔｉｏｎ）の工程が含まれる。その凝固した
肉部分ならびに予備水和および予備糊化された炭水化物源を、クッカー中で組み合わせる
。
【０００９】
[0007]  様々な態様において、炭水化物源、例えば穀物は、肉／スラリー構成要素から
の干渉無しにデンプンを硬化させるため、またはそのデンプン反応を完了させるため、プ
ロセス水により予備水和され、次いで特定の炭水化物源の糊化の温度まで予備糊化される
。別に、骨格筋および／または肉の副産物の天然の、および別個の同一性を保持するため
、肉部分または肉スラリーをタンパク質変性温度より上の温度で予備凝固する。
【００１０】
[0008]  一度その炭水化物源および利用可能な水が予備水和および予備糊化され、その
肉部分またはスラリーが予備凝固されると、その２種類の構成要素は連続的な、またはバ
ッチ式ミキサー中でさらなる液体を用いて混合されて均質なマトリックスを形成し、缶の
中に充填されて継ぎ合わせられ、滅菌またはレトルト処理される準備ができる。
【００１１】
[0009]  そのプロセスの結果として、形成された製品は、砕けやすい質感を有し、柔ら
かく粘着性で、糊状の、または粥状の質感を有する傾向がより低い均質なローフ製品であ
ることができる。審美的には、健康によく、不連続で、自然に不規則な骨格筋がローフの
マトリックス全体にくまなく見える。嗜好性試験は、その飼料が、結果として口の上部口
腔にくっつかず動物の喉を詰まらせる傾向が無い組成物をもたらす砕けやすい質感のおか
げで動物に好まれることを示している。
【００１２】
[0010]  本明細書で記述される図面は選択された態様の説明のためだけのものであり、
全ての可能性のある実施形態に関するものでは無く、本開示の範囲を限定することを意図
しない。
【図面の簡単な説明】
【００１３】
【図１】[0011]  図１は不連続な組成を有するペットフード組成物を作るためのプロセスの図式的な流れ図を示す。
【図２】[0012]  図２は連続的なプロセスを図説する。
【発明を実施するための形態】
【００１４】
[0013]  １態様において、肉および炭水化物源に基づくペットフード組成物の調製のた
めのプロセスが提供される。その炭水化物源は、本明細書においてさらに記述されるよう
な穀物混合物で提供されてよい。ペットフード配合物、特にイヌのためのペットフード配
合物に典型的であるように、その組成物は１種類以上の炭水化物源、例えば穀物の含有量
が比較的高く、ここでその１種類以上の炭水化物源は組成物の約１０から約３５重量％ま
で、または約１３から約２８重量％までである。そのプロセスは、その組成物の肉部分を
その肉部分中のタンパク質の変性点より上の温度まで加熱することを含む。この“予備凝
固”工程は、結果として予備凝固した肉組成物の調製をもたらす。別に、１種類以上の炭
水化物源を水と混合し、その炭水化物源を予備水和して予備水和された組成物を形成する
。予備水和の後、または予備水和と同時に、その予備水和された炭水化物源を糊化反応が
起こる温度まで加熱することによりその炭水化物源を糊化する。次いで得られた糊化した
炭水化物組成物を予備凝固させた肉組成物と混合し、所望によりさらなる時間加熱してペ
ットフード組成物を缶の中に充填する準備ができた状態にする。様々な態様において、予
備凝固させた肉組成物を糊化した炭水化物組成物中で組み合わせる工程は、着色剤、香味
剤、脂肪、および油の少なくとも１種類を含む液体組成物と組み合わせるさらなる工程を
含む。
【００１５】
[0014]  その肉部分をその肉のタンパク質の変性点より上の温度まで加熱する。１態様
において、その肉部分はウシからの肉または肉の副産物を含み、その肉部分は予備凝固工
程において８０℃より上で加熱される。一般に、変性点の上の温度で、例えば変性温度の
約２℃から約６℃まで上の範囲で加熱するのが好ましい。
【００１６】
[0015]  様々な態様において、予備凝固された肉組成物ならびに予備水和および予備糊
化された炭水化物組成物の形成の工程は、サーマルスクリュークッカー／ミキサー中で実
行される。１種類以上の炭水化物源の糊化のために用いられるサーマルスクリュークッカ
ー中での典型的な滞留時間は約６０〜９０秒間であり、ここでサーマルスクリュークッカ
ーの出口における温度は約８０℃である。
【００１７】
[0016]  そのペットフード組成物は比較的高レベルの１種類以上の炭水化物源、例えば
約１０から約３５重量％まで、または約１３から約２８重量％までの１種類以上の炭水化
物源を含む。代表的な態様において、その炭水化物源は重量によりそのローフ組成物の約
１８％であり、一般に約１３％から約２８％まで様々であることができる。この観点にお
いて、炭水化物源は、ジャガイモデンプンのような穀物ではない源に由来するデンプンを
含め、ローフ製品の配合において用いられる全ての穀物、挽いた穀物、小麦粉、またはデ
ンプンを指す。
【００１８】
[0017]  別の態様において、ペットフード組成物の調製のためのプロセスは、以下を含
む：
（ａ）肉部分を変性点より約２℃〜約６℃高い温度まで加熱する；
（ｂ）炭水化物源および水を組み合わせ、その炭水化物源を予備水和および予備糊化す
るのに十分な温度で調理する、ここで、その炭水化物源は穀物、挽いた穀物、部分的に挽
いた穀物、小麦粉、およびデンプンの内の１種類以上を含む；
（ｃ）工程（ａ）および（ｂ）の生成物を組み合わせる；そして
（ｄ）工程（ｃ）の組み合わせられた生成物を加熱する；
ここで、その肉部分はそのペットフード組成物の１５〜３０重量％であり、その炭水化物
源はそのペットフード組成物の１３〜２８重量％である。
【００１９】
[0018]  様々な態様において、その肉部分は肉および／または肉の副産物を含む。様々
な態様において、その炭水化物源はトウモロコシ、小麦、ジャガイモ、米、燕麦、大麦、
ミル（ｍｉｌｌ）、亜麻、ｆｉｂｒｉｍ、落花生殻、およびテンサイの１種類以上に由来
する穀物構成要素を含む。その炭水化物源はデンプンまたは小麦粉も含むことができる。
【００２０】
[0019]  肉部分に関して、“予備凝固”はその肉構成要素を肉のタンパク質の変性温度
より上で加熱することにより達成される。これは通常は魚のタンパク質に関して約４８℃
から約５１℃まで、ウシの骨格筋のタンパク質に関して約８０℃以上までの範囲である。
ニワトリおよびブタからの筋の変性温度は、この範囲の間のどこかにある。そのような肉
の組み合わせが存在する場合、加熱の温度は最も高い変性温度を有する肉の変性温度より
上である。これはその混合物の質感および／または色により適正に確かめることができる
。
【００２１】
[0020]  様々な態様において、その肉部分は、肉または肉の副産物のような、新鮮な、
または解凍された冷凍肉のブロックのどちらかを含む肉の混合物である。肉部分中の肉材
料は、動物性タンパク質である骨組み（ｆｒａｍｅ）、首、および背を含む哺乳類の筋も
しくは骨格肉、または肉の副産物、例えば血液、心臓、肝臓、肺、舌、脾臓、および同様
のものであることができる。その肉材料は一般に、完成品における不連続な食物粒子の大
きさの必要性に応じて、異なる粉砕プレートにより挽かれる。様々な態様において、その
肉および／または肉の副産物は、ウシ、ブタ、ニワトリ、魚、貝、子ヒツジ、アヒル、シ
チメンチョウ、およびシカ肉の１種類以上からのものである。
【００２２】
[0021]  一般に、その肉部分は、約１５〜３０％のタンパク質を、約５５から７５重量
％までの範囲の含水量および約５から１５％までの範囲の脂肪含量と共に含む。
[0022]  複合肉混合物は、例えば生蒸気噴射を伴うツインスクリューミキサー、ツイン
リボンミキサー、オーバーラッピングパドルミキサー（ｏｖｅｒｌａｐｐｉｎｇ  ｐａｄ
ｄｌｅ  ｍｉｘｅｒ）、または上記の特徴の組み合わせ、例えばスクリュー／リボン／パ
ドルのようないずれかの適切なミキサー／クッカー中で混合および加熱される。混合は、
その肉部分がその肉部分のタンパク質変性温度より上で均質に凝固することを確実にする
ためのものである。その変性点は一般に、魚のタンパク質に関して約４８℃から哺乳類（
ウシおよび子ヒツジ）の骨格筋タンパク質に関して約７６℃以上までの範囲である。ニワ
トリおよびブタからの筋の変性温度は、この範囲の間のどこかにある。そのような肉の組
み合わせが存在する場合、加熱の温度は最も高い変性温度を有する肉の変性温度より上で
ある。
【００２３】
[0023]  炭水化物源に関して、その炭水化物源は、添加された水と共に熱処理にさらさ
れた際に、水和、糊化および老化を含むプロセスを経るであろう。加えて、高温では、複
合炭水化物のより単純な炭水化物への分解が達成される。炭水化物源の平衡を適切に保つ
ことにより、望まれるように特定の質感を維持するための適切な粘着性または結合を得る
ことができる。例えば、短鎖の多糖類は粘着性かつ膠質である傾向にあり、より長鎖の多
糖類は、より短鎖のものより粘着性および膠質さが低い。一般に、スクロースおよびグル
コースのような単純な糖は、この発明の完成品の砕けやすい質感が望まれる場合に有害で
ある“結合する”能力を有する。基本的に、この混成飼料の望ましい質感は、より長鎖の
多糖類およびデンプン、例えば天然または非化学的に改質されたデンプンにより達成され
、それは例えば熱および／または圧力による改質である。用いることができる炭水化物源
の例は、標準的または天然で化学的に改質されていない材料、例えばトウモロコシデンプ
ン、ジャガイモデンプン、セルロースおよびコメデンプンである。これらの天然のデンプ
ンの典型的なものは、Ｎａｔｉｏｎａｌ  Ｓｔａｒｃｈ  １５０、天然のトウモロコシデ
ンプン、および天然のジャガイモデンプンである。熱および／または圧力処理された材料
、例えば、Ｎａｔｉｏｎａｌ  Ｓｔａｒｃｈから入手可能な熱および圧力処理されたジャ
ガイモデンプンであるＮｏｖａｔｉｏｎ  １６００、同様にＮａｔｉｏｎａｌ  Ｓｔａｒ
ｃｈから入手可能な熱および圧力処理されたトウモロコシデンプンであるＮｏｖａｔｉｏ
ｎ  ２７００、ならびにＲｅｍｙ  ＤＲのような熱および圧力処理されたコメデンプンも
用いることができる。これらの天然の、ならびに熱および／または圧力処理された穀物は
、適切な胃腸管での平衡性および良好な全般的便質の維持において、さらなる利点を有す
る。
【００２４】
[0024]  その１種類以上の炭水化物源は、別々に処理された後、予め“熱硬化した”肉
に添加されてもよい。その１種類以上の炭水化物源を混合し、肉に対するそれらの結合を
向上させ、および／または完成品の質感の粘着性を低減させ、もしくは堅さを増大させる
ため、水和、糊化および老化を達成または本質的に達成するであろう温度範囲で調理する
。加えて、複合炭水化物をより単純な炭水化物に分解する。これらの特性を達成するため
には高温が必要である。基本的に、８０〜９５℃までであるが望ましくは８２〜８５℃を
超えない温度を用いることができる。
【００２５】
[0025]  好ましくは添加されたビタミン類およびミネラルを含む、工程（ｂ）の１種類
以上の炭水化物源および水の組成物は、燕麦繊維、セルロース、落花生殻、テンサイパル
プ、パーボイルド米およびトウモロコシグルテンミールのような、単一の穀物もしくは炭
水化物源、または穀物および源の混合物に、塩、香辛料、調味料、ビタミン類、ミネラル
、香味剤、着色剤などを添加したものであることができる。乾燥卵をその炭水化物源およ
び水の組成物に含ませることもできる。この添加物混合物の量は、米国飼料検査官協会（
ＡＡＦＣＯ）の規定に基づく動物の異なるライフステージに関する栄養所要量に少なくと
も部分的に依存する。
【００２６】
[0026]  様々な態様において、混合の間の加熱の温度は、飼料の特定の望まれる質感の
ための炭水化物源および水の組成物の水和、糊化および／または老化を達成または本質的
に達成するために、約６５℃から約８２℃までの範囲である。複合炭水化物は、この加熱
工程の間により単純な炭水化物に分解される。
【００２７】
[0027]  様々な態様において、組み合わせてペットフード組成物を作る前に、肉を予備
凝固させ、１種類以上の炭水化物源を予備水和および予備糊化する。好ましい態様におい
て、その肉ならびに１種類以上の炭水化物源および水の組成物は、最終的な調理の前にさ
らに液体組成物（または“液体”）と組み合わせられる。その液体組成物には、水ならび
に肉および穀物部分中に含まれなかったその配合物に必要なあらゆる成分が含まれる。様
々な態様において、その液体組成物には水ならびに着色剤、香味増進剤、脂肪、および油
の内の少なくとも１種類が含まれる。
【００２８】
[0028]  典型的なプロセスにおいて、組成物全体の約２５％プラス５％またはマイナス
１０％（すなわち、約１５〜３０重量％）を構成する肉部分またはスラリーが提供され、
それは例えば家禽成分を含む。組成物全体の約１８％プラス１０％またはマイナス５％（
すなわち、約１３〜２８重量％）を構成する炭水化物源も提供され、それは全穀粒、湿式
製粉された全穀粒、または化学的に改質された穀物もしくはデンプンを含む。プロセス水
は、水和率ならびにその穀物の性質および質に応じて組成物の約５０％で提供される。通
常の比率は、約１部の穀物対２部の水である。液体組成物も組成物全体の約１〜２重量％
で提供され、それは水に加えて有益な栄養素、例えば、限定するわけではないが、魚油、
着色剤、およびカルニチンを含む。
【００２９】
[0029]  第１工程において、予備凝固させた組成物を得るため、その肉部分またはスラ
リーを、変性温度を越えて６０℃以上まで加熱して凝固させる。予備凝固に必要な時間は
、材料の量および標的温度に依存して約１０から２０分間まで様々である。別々の工程に
おいて、そのプロセスの最初の段階でプロセス水を添加してその１種類以上の炭水化物源
を水和させ、次いで約８２〜約８７℃における糊化温度に至らせる。そのプロセスに必要
な時間は約１０〜２０分間であり、これも材料の量および温度に依存する。この工程は糊
化した炭水化物組成物を生成する。
【００３０】
[0030]  結果として得られた３種類の構成要素、すなわち凝固した肉組成物、糊化した
炭水化物組成物、および液体を次いで混合し、充填し、缶詰にし、容器中で滅菌して販売
の準備ができた組成物を提供する。通常の連続的プロセス、例えば３重の（ｔｈｒｅｅ  
ｍｕｌｔｉｐｌｅ）サーモスクリュー型クッカー／ミキサーを用いる毎分４００ポンドの
処理量に関して、混合、充填、缶詰め、および滅菌のプロセスは約９０〜１２０秒間で達
成することができる。
【００３１】
[0031]  別の説明的なプロセスにおいて、肉部分は組成物の約１５重量％プラスまたは
マイナス重量１０％（すなわち５〜２５％）で提供され、それはウシ、家禽、ブタ等のよ
うな動物種からなる。炭水化物源は組成物の約２５重量％プラスまたはマイナス１５重量
％（すなわち１０〜４０％）で提供され、それは全穀粒、湿式製粉された穀物、化学的に
改質された穀物、または組み合わせを含む。プロセス水は、水和率ならびにその炭水化物
源の性質および質に応じて組成物の約６０重量％で提供される。通常の比率は、約１部の
穀物対２．５部の水である。水および痕跡量の着色剤を含む液体組成物も提供される。
【００３２】
[0032]  説明的なプロセスにおいて、その肉部分を変性温度を越えて、すなわち７０℃
以上まで加熱して凝固させる。別に、そのプロセスの最初の段階でプロセス水を添加して
炭水化物源を水和させ、次いで約８０〜約９５℃における糊化温度に至らせる。結果とし
て得られた３種類の構成要素、すなわち凝固した肉部分、糊化した炭水化物源および水の
組成物、ならびに液体を混合し、充填し、缶詰にし、その容器中で滅菌してペットフード
組成物を提供する。
【００３３】
[0033]  図１は本開示の熱硬化プロセスに関する流れ図を示す。それはバッチとして、
または連続的なプロセスとして実施することができる。
[0034]  図１において、肉および／または肉の副産物（一緒に肉部分を構成する）をミ
キサー７５中で混合し、ライン７６を通してクッカー７７に移動させる。肉または肉の混
合物の変性点より上の温度で調理した後、その混合物を第２ミキサー８２にライン７８を
通して移動させる。別に、配合物中で利用される１種類以上の炭水化物源を様々なビタミ
ン類およびミネラルと容器８０中で混合し、ライン８１を通してクッカー８５に移動させ
、そこでその１種類以上の炭水化物源を予備水和および予備糊化し、その後それらをミキ
サー８２に移動させる。また、この時間の間に、液体組成物を容器８３中で一緒に混合し
、ライン８４を通してミキサー８２に移動させ、そこでそれらを混合する。ミキサー８２
において、その３種類の構成要素を優勢な温度（ｐｒｅｖａｉｌｉｎｇ  ｔｅｍｐｅｒａ
ｔｕｒｅ）で一緒に混合する。望まれる場合は熱を加えて優勢な温度を維持することがで
きるが、約８２℃より高温に達するのは一般には不要であり、かつ望ましくない。次いで
この飼料をライン８７を通して充填機８８に移動させる。このように、この開示の飼料は
容易に調製される。
【００３４】
[0035]  連続的なプロセスの実施形態を図２において示す。図２の図はその組成物の４
種類の主な構成要素の入り口点を示し、それは炭水化物源、水またはブロス構成要素、肉
部分、および液体である。その図は、そこでそれらの構成要素が添加される、そのプロセ
スにおける別々の場所を示している。図２において示されているように、その１種類以上
の炭水化物源および水は連続的なミキサーまたはクッカー中で一緒に調理されて予備糊化
された炭水化物組成物を提供する。別に、肉部分またはスラリーをミキサーまたはクッカ
ー中でその肉部分の変性温度より上の温度で調理する。示したように、その肉部分に関す
る予備凝固工程およびその炭水化物組成物に関する予備糊化工程の生成物を、ミキサー／
クッカーに液体部分と共に別々に添加する。通常は高温を提供するために蒸気を用いる。
その組み合わせられた予備糊化された炭水化物源、予備凝固された肉、および任意の液体
をミキサー／クッカーから充填蒸し器（ｆｉｌｌｅｒ  ｓｔｅａｍｅｒ）に運び、完成品
を商業的販売のために缶の中に入れる。
【実施例】
【００３５】
[0036]  肉部分またはスラリーを、組成物全体の約２５重量％で提供する。その肉部分
またはスラリーは、シチメンチョウ全体をおおよそ１ｃｍの粉砕サイズ（ｇｒｉｎｄ  ｓ
ｉｚｅ）で挽いて骨粒子を減らしたもの（組成物の約１８重量％）および家禽の肝臓をお
およそ１ｃｍの粉砕サイズで挽いたもの（組成物全体の約７重量％）を含む。その肉部分
またはスラリーを、パドルおよびリボンを有する連続的なサーモスクリュークッカー／ミ
キサー（ＭａｐａｃｏまたはＢｌｅｎｄ  ｔｅｃｈタイプ）中で、またはバッチ（設置型
）ミキサー中で調理する。加熱は直接蒸気噴射により達成される。調理の最終的な温度は
６５℃である（変性温度を越えている）。その調理時間は、連続的なクッカー／ミキサー
中で９０から１２０秒間まで、またはバッチ型のクッカー／ミキサー中で８から１２分間
まで様々である。
【００３６】
[0037]  別に、炭水化物源を、組成物全体の約２３％で提供する。その炭水化物源は、
パーボイルド米（組成物全体の約１３％、黄色の挽いたトウモロコシ（組成物の約５％）
、乾燥卵（組成物の約４重量％）、繊維（組成物の約０．８重量％）、香味（組成物の約
０．３重量％）を含み、残りはビタミン類およびミネラルである。その炭水化物源にプロ
セス水を添加する。添加される水の実際の量は組成物の約３９重量％であり；蒸気凝縮物
（ｓｔｅａｍ  ｃｏｎｄｅｎｓａｔｅ）が約１２重量％を追加する。その炭水化物源およ
び水の組成物を調理装置中で予備水和および予備糊化し、それはパドルおよびリボンを有
する連続的なクッカー／ミキサーまたは設置型のバッチミキサーであることができる。加
熱は直接蒸気噴射により達成される。最初の水温は周囲温度（すなわち約２１℃）であり
、糊化を達成するために達した最終的な温度は約８０℃である。別に、水、カラメル色、
および酸化鉄を含む液体組成物を、組成物の約１重量％で提供する。その液体組成物、予
備凝固された肉組成物ならびに予備糊化された炭水化物源および水の組成物を組み合わせ
、それ以上の加熱無しにクッカーミキサー中で混合する。結果として得られた生成物を、
商業的に入手できるポケット／ピストン型充填機により缶の中に充填し、続いて充填され
た缶を市販の巻締機において密封して（ｈｅｒｍａｔｉｃａｌｌｙ）継ぎ合わせる。充填
され、継ぎ合わせられた缶は滅菌されて包装され、商業の連鎖において流通するであろう
。
【符号の説明】
【００３７】
７５  ミキサー
７６  ライン
７７  クッカー
８０  容器
８１  ライン
８２  ミキサー
８３  容器
８４  ライン
８５  クッカー
８６  ライン
８７  ライン
８８  充填機
【図１】
2014131509.tif 000003
【図２】
2014131509.tif 000004
【外国語明細書】
2014131509000001.pdf